(57)【要約】【課題】携帯通信装置と画像処理装置とを連携して画像処理装置の機能を追加・変更する際に、操作数を減少することができる携帯通信装置、画像処理装置、画像処理システム、携帯通信プログラム及び画像処理プログラムを提供する。【解決手段】携帯通信装置１００は、画像処理装置１０２から機能の追加・変更に関する機能関連情報を取得し、サーバ１０４から取得した追加機能について、機能関連情報に基づいて画像処理装置１０２への転送の可否を判断し、転送可能な追加機能を画像処理装置１０２へ転送する。また、画像処理装置１０２は、携帯通信装置１００から転送された追加機能を実行する。また、サーバ１０４は、上記追加機能を保持し、携帯通信装置１００からの要求に応じて、追加機能を携帯通信装置１００に転送する。【選択図】図１
2010081359.tif 000002
【特許請求の範囲】
【請求項１】
画像処理装置への機能の追加・変更に関する機能関連情報を取得する機能関連情報取得手段と、
前記機能関連情報に基づいて、追加機能提供装置から追加機能を取得する追加機能取得手段と、
前記取得した追加機能の画像処理装置への転送の可否を、前記機能関連情報に基づいて判定する転送可否判定手段と、
転送可と判定された追加機能を画像処理装置へ転送する転送手段と、
を備えることを特徴とする携帯通信装置。
【請求項２】
請求項１記載の携帯通信装置が、さらに前記追加機能取得手段が取得した追加機能を表示画面に表示し、表示画面上で模擬的に動作させる模擬動作手段を備えることを特徴とする携帯通信装置。
【請求項３】
機能の追加・変更に関する機能関連情報を携帯通信装置に転送する機能関連情報転送手段と、
前記機能関連情報に基づいて携帯通信装置が転送可と判定した追加機能を当該携帯通信装置から受け取る追加機能受取手段と、
前記受け取った追加機能を起動する追加機能起動手段と、
を備えることを特徴とする画像処理装置。
【請求項４】
請求項３記載の画像処理装置において、前記追加機能を実行中には、入力・表示画面を非表示とし、または表示を固定することを特徴とする画像処理装置。
【請求項５】
画像処理装置への機能の追加・変更に関する機能関連情報を取得する機能関連情報取得手段と、
前記機能関連情報に基づいて、追加機能提供装置から追加機能を取得する追加機能取得手段と、
前記取得した追加機能の画像処理装置への転送の可否を、前記機能関連情報に基づいて判定する転送可否判定手段と、
転送可と判定された追加機能を画像処理装置へ転送する転送手段と、
を備える携帯通信装置と、
機能の追加・変更に関する機能関連情報を携帯通信装置に転送する機能関連情報転送手段と、
前記機能関連情報に基づいて携帯通信装置が転送可と判定した追加機能を当該携帯通信装置から受け取る追加機能受取手段と、
前記受け取った追加機能を起動する追加機能起動手段と、
を備える画像処理装置と、
を有することを特徴とする画像処理システム。
【請求項６】
請求項５記載の画像処理システムにおいて、前記携帯通信装置が画像処理装置に入力・表示画面の表示定義情報を転送し、画像処理装置は、前記表示定義情報に基づいて入力・表示画面の表示内容を制御することを特徴とする画像処理システム。
【請求項７】
請求項５または請求項６に記載の画像処理システムにおいて、携帯通信装置は、前記追加機能を要求した際に、追加機能提供装置から利用許可情報を受け取り、画像処理装置は、前記機能関連情報に、前記利用許可情報に応じて前記追加機能の転送の可否を決定する基準を含ませて携帯通信装置に転送することを特徴とする画像処理システム。
【請求項８】
請求項５から請求項７のいずれか一項に記載の画像処理システムにおいて、画像処理装置は、予め定めた条件に基づいて実行後の前記追加機能を削除することを特徴とする画像処理システム。
【請求項９】
コンピュータを、
画像処理装置への機能の追加・変更に関する機能関連情報を取得する機能関連情報取得手段、
前記機能関連情報に基づいて、追加機能提供装置から追加機能を取得する追加機能取得手段、
前記取得した追加機能の画像処理装置への転送の可否を、前記機能関連情報に基づいて判定する転送可否判定手段、
転送可と判定された追加機能を画像処理装置へ転送する転送手段、
として機能させることを特徴とする携帯通信プログラム。
【請求項１０】
コンピュータを、
機能の追加・変更に関する機能関連情報を携帯通信装置に転送する機能関連情報転送手段、
前記機能関連情報に基づいて携帯通信装置が転送可と判定した追加機能を当該携帯通信装置から受け取る追加機能受取手段、
前記受け取った追加機能を起動する追加機能起動手段、
として機能させることを特徴とする画像処理プログラム。
【発明の詳細な説明】
【技術分野】
【０００１】
本発明は、携帯通信装置、画像処理装置、画像処理システム、携帯通信プログラム及び画像処理プログラムに関する。
【背景技術】
【０００２】
近年、スキャナ、印刷装置、複写機、ファクシミリ等の機能を有する複合機あるいは複写機等に機能を追加し、利便性を向上させる技術が提案されている。例えば、下記特許文献１には、個別画像処理プログラムを追加または更新する際に、その個別画像処理プログラムの動作を可能にする処理手段（ハードウエア）の有無を判定し、その判定結果に基づいて個別画像処理プログラムの追加または更新の可否を判断する画像処理装置が開示されている。
【０００３】
【特許文献１】特開２００２−２０７６０６号公報
【発明の開示】
【発明が解決しようとする課題】
【０００４】
本発明の目的は、携帯通信装置と画像処理装置とを連携して画像処理装置の機能を追加・変更する際に、操作数を減少することができる携帯通信装置、画像処理装置、画像処理システム、携帯通信プログラム及び画像処理プログラムを提供することにある。
【課題を解決するための手段】
【０００５】
上記目的を達成するために、請求項１記載の携帯通信装置の発明は、画像処理装置への機能の追加・変更に関する機能関連情報を取得する機能関連情報取得手段と、前記機能関連情報に基づいて、追加機能提供装置から追加機能を取得する追加機能取得手段と、前記取得した追加機能の画像処理装置への転送の可否を、前記機能関連情報に基づいて判定する転送可否判定手段と、転送可と判定された追加機能を画像処理装置へ転送する転送手段と、を備えることを特徴とする。
【０００６】
請求項２記載の発明は、請求項１記載の発明が、さらに前記追加機能取得手段が取得した追加機能を表示画面に表示し、表示画面上で模擬的に動作させる模擬動作手段を備えることを特徴とする。
【０００７】
請求項３記載の画像処理装置の発明は、機能の追加・変更に関する機能関連情報を携帯通信装置に転送する機能関連情報転送手段と、前記機能関連情報に基づいて携帯通信装置が転送可と判定した追加機能を当該携帯通信装置から受け取る追加機能受取手段と、前記受け取った追加機能を起動する追加機能起動手段と、を備えることを特徴とする。
【０００８】
請求項４記載の発明は、請求項３記載の発明において、前記追加機能を実行中には、入力・表示画面を非表示とし、または表示を固定することを特徴とする。
【０００９】
請求項５記載の画像処理システムの発明は、画像処理装置への機能の追加・変更に関する機能関連情報を取得する機能関連情報取得手段と、前記機能関連情報に基づいて、追加機能提供装置から追加機能を取得する追加機能取得手段と、前記取得した追加機能の画像処理装置への転送の可否を、前記機能関連情報に基づいて判定する転送可否判定手段と、転送可と判定された追加機能を画像処理装置へ転送する転送手段と、を備える携帯通信装置と、機能の追加・変更に関する機能関連情報を携帯通信装置に転送する機能関連情報転送手段と、前記機能関連情報に基づいて携帯通信装置が転送可と判定した追加機能を当該携帯通信装置から受け取る追加機能受取手段と、前記受け取った追加機能を起動する追加機能起動手段と、を備える画像処理装置と、を有することを特徴とする。
【００１０】
請求項６記載の発明は、請求項５記載の発明において、前記携帯通信装置が画像処理装置に入力・表示画面の表示定義情報を転送し、画像処理装置は、前記表示定義情報に基づいて入力・表示画面の表示内容を制御することを特徴とする。
【００１１】
請求項７記載の発明は、請求項５または請求項６に記載の発明において、携帯通信装置が前記追加機能を要求した際に追加機能提供装置から利用許可情報を受け取り、画像処理装置が、前記機能関連情報に、前記利用許可情報に応じて前記追加機能の転送の可否を決定する基準を含ませて携帯通信装置に転送することを特徴とする。
【００１２】
請求項８記載の発明は、請求項５から請求項７のいずれか一項に記載の発明において、画像処理装置が、予め定めた条件に基づいて実行後の前記追加機能を削除することを特徴とする。
【００１３】
請求項９記載の携帯通信プログラムの発明は、コンピュータを、画像処理装置への機能の追加・変更に関する機能関連情報を取得する機能関連情報取得手段、前記機能関連情報に基づいて、追加機能提供装置から追加機能を取得する追加機能取得手段、前記取得した追加機能の画像処理装置への転送の可否を、前記機能関連情報に基づいて判定する転送可否判定手段、転送可と判定された追加機能を画像処理装置へ転送する転送手段、として機能させることを特徴とする。
【００１４】
請求項１０記載の画像処理プログラムの発明は、コンピュータを、機能の追加・変更に関する機能関連情報を携帯通信装置に転送する機能関連情報転送手段、前記機能関連情報に基づいて携帯通信装置が転送可と判定した追加機能を当該携帯通信装置から受け取る追加機能受取手段、前記受け取った追加機能を起動する追加機能起動手段、として機能させることを特徴とする。
【発明の効果】
【００１５】
請求項１及び請求項９記載の発明によれば、携帯通信装置と画像処理装置とを連携して画像処理装置の機能を追加・変更する際に、操作数を減少することができる携帯通信装置及び携帯通信プログラムを提供できる。
【００１６】
請求項２記載の発明によれば、携帯通信装置の画面上で画像処理装置の追加機能の動作を確認できる。
【００１７】
請求項３及び請求項１０記載の発明によれば、携帯通信装置と画像処理装置とを連携して画像処理装置の機能を追加・変更する際に、操作数を減少することができる画像処理装置及び画像処理プログラムを提供できる。
【００１８】
請求項４記載の発明によれば、追加機能の実行中に他の使用者の使用を制限することができる。
【００１９】
請求項５記載の発明によれば、携帯通信装置と画像処理装置とを連携して画像処理装置の機能を追加・変更する際に、操作数を減少することができる画像処理システムを提供できる。
【００２０】
請求項６記載の発明によれば、画像処理装置の画面表示を使用者毎に設定することができる。
【００２１】
請求項７記載の発明によれば、サーバが課金処理のために発行する利用許可情報により追加機能の利用を制御することができる。
【００２２】
請求項８記載の発明によれば、使用後の追加機能を簡易かつ確実に削除することができる。
【発明を実施するための最良の形態】
【００２３】
以下、本発明を実施するための最良の形態（以下、実施形態という）を、図面に従って説明する。
【００２４】
図１には、実施形態にかかる画像処理システムの構成例が示される。図１において、画像処理システムは、携帯通信装置１００、画像処理装置１０２及びサーバ１０４を含んで構成されている。
【００２５】
携帯通信装置１００は、携帯電話装置等により構成され、画像処理装置１０２から機能の追加・変更に関する機能関連情報を取得し、サーバ１０４から取得した追加機能について、機能関連情報に基づいて画像処理装置１０２への転送の可否を判断し、転送可能な追加機能を画像処理装置１０２へ転送する。また、画像処理装置１０２は、複写機、印刷装置、ファクシミリ装置、あるいはスキャナ、印刷装置、複写機、ファクシミリ等の機能を有する複合機等により構成され、携帯通信装置１００に機能関連情報を転送するとともに、携帯通信装置１００から転送された追加機能を実行する。また、サーバ１０４は、上記追加機能を保持し、携帯通信装置１００からの要求に応じて、追加機能を携帯通信装置１００に転送する。なお、これらの携帯通信装置１００、画像処理装置１０２、サーバ１０４は、適宜な通信手段１０６を介して接続される。
【００２６】
図２には、実施形態にかかる携帯通信装置１００のハードウェア構成の例が示される。図２において、携帯通信装置１００は、中央処理装置（例えばマイクロプロセッサ等のＣＰＵを用いるとよい）１０、ランダムアクセスメモリ（ＲＡＭ）１２、記憶装置１４、通信装置１６、入力装置１８及び表示装置２０を含んで構成されている。また、これらの構成要素は、バス２２により互いに接続されている。なお、記憶装置１４は、インターフェース１４ａを介して、通信装置１６は、インターフェース１６ａを介して、入力装置１８は、インターフェース１８ａを介して、表示装置２０は、インターフェース２０ａを介して、それぞれバス２２に接続されている。
【００２７】
ＣＰＵ１０は、ＲＡＭ１２または記憶装置１４に格納されている制御プログラムに基づいて、後述する各部の動作を制御する。ＲＡＭ１２は主としてＣＰＵ１０の作業領域として機能する。
【００２８】
記憶装置１４は、ＥＥＰＲＯＭ等の不揮発性半導体メモリあるいはハードディスク装置等により構成され、制御プログラムその他のＣＰＵ１０が使用するデータが格納されている。
【００２９】
通信装置１６は、基地局との間で電波による無線通信を行い、携帯電話としての機能を実現するとともに、インターネットのようなネットワークあるいは非接触型ＩＣカードや赤外線通信等による非接触通信等を介して画像処理装置１０２との間で通信を行う。
【００３０】
入力装置１８は、入力ボタン等により利用者が各種情報を入力するために使用する。なお、後述する表示装置２０と一体的に構成し、タッチパネル方式等により情報の入力及び表示を行うように構成してもよい。
【００３１】
表示装置２０は、液晶表示装置（ＬＣＤ）等により構成され、後述する認証情報、追加機能情報その他の情報を表示する。
【００３２】
図３には、実施形態にかかる携帯通信装置１００の機能ブロック図が示される。図３において、携帯通信装置１００は、通信処理部２４、機能関連情報取得部２６、追加機能取得部２８、転送可否判定部３０、追加機能転送部３２、認証情報転送部３４、入力部３６及び模擬動作部３８を含んで構成されている。これらの機能は例えばＣＰＵ１０とＣＰＵ１０の処理動作を制御するプログラムとにより実現される。
【００３３】
通信処理部２４は、通信装置１６を介して電話通信を行う他、インターネットまたは非接触通信等により画像処理装置１０２との間で各種情報をやり取りする。
【００３４】
機能関連情報取得部２６は、画像処理装置１０２への機能の追加・変更に関する機能関連情報を、通信処理部２４を介して画像処理装置１０２から取得する。ここで、機能関連情報には、画像処理装置１０２の構成情報、追加機能を保持するサーバ１０４への接続情報等を含んでいる。画像処理装置１０２の構成情報としては、例えば機能リスト、ハードウエア構成、各種設定値等がある。また、機能関連情報には、携帯通信装置１００が追加機能を要求した際にサーバ１０４が発行する利用チケットに応じて上記追加機能の転送の可否を決定する基準を含ませてもよい。この利用チケットは、例えばサーバ１０４による課金処理等に使用される。
【００３５】
追加機能取得部２８は、機能関連情報に基づいて画像処理装置１０２に追加する追加機能の取得要求情報を生成し、この取得要求情報を通信処理部２４を介してサーバ１０４に転送してサーバ１０４から追加機能を取得する。
【００３６】
転送可否判定部３０は、追加機能取得部２８がサーバ１０４から取得した追加機能を、画像処理装置１０２へ転送できるか否かを、上記機能関連情報に基づいて判定する。例えば、転送可否判定部３０は、機能関連情報に含まれる画像処理装置１０２の構成情報に基づいて後述する模擬動作部３８が追加機能を表示装置２０上で模擬的に動作させた結果から、画像処理装置１０２の構成で追加機能の動作が可能か否かを判断する。動作可と判断した場合には転送可と判定し、動作不可と判断した場合には転送不可と判定する。また、サーバ１０４が利用チケットを発行する構成では、利用チケットに基づく上記基準により転送の可否を判定してもよい。利用チケットの内容は、携帯通信装置１００により音声情報または文字情報として確認できる構成が好適である。なお、利用チケットに基づく転送の可否の判定は、転送可否判定部３０ではなく画像処理装置１０２側で行ってもよい。この場合、利用チケットに応じて利用可能な追加機能を画像処理装置１０２の表示・入力装置５６に表示し、使用者がこの表示を確認して転送の可否を判断する構成とすることができる。さらに、上記機能関連情報に画像処理装置１０２の運用規定を含ませておき、運用規定で実行が許された追加機能のみ転送可と判定する構成としてもよい。
【００３７】
追加機能転送部３２は、上記追加機能、後述する表示定義等を通信処理部２４を介して画像処理装置１０２に転送する。
【００３８】
認証情報転送部３４は、携帯通信装置１００の認証を行うための認証情報を通信処理部２４を介して画像処理装置１０２に転送する。
【００３９】
入力部３６は、入力装置１８を介して入力された情報を受け付け、ＣＰＵ１０が各種処理に使用する。
【００４０】
模擬動作部３８は、追加機能取得部２８が取得した追加機能の内容を表示装置２０に表示し、当該追加機能を、上記機能関連情報に含まれる構成情報に基づいて生成した疑似動作環境上で模擬的に動作させる。
【００４１】
図４には、実施形態にかかる画像処理装置１０２のハードウェア構成の例が示される。図４において、画像処理装置１０２は、ＣＰＵ４０、ＲＡＭ４２、ＲＯＭ４４、通信装置４６、画像取得装置４８、印刷装置５０、ファクシミリ装置５２、ハードディスク装置（ＨＤＤ）５４及び表示・入力装置５６を含んで構成されている。また、これらの構成要素は、バス５８により互いに接続されている。なお、通信装置４６は、インターフェース４６ａを介して、画像取得装置４８はインターフェース４８ａを介して、印刷装置５０は、インターフェース５０ａを介して、ファクシミリ装置５２は、インターフェース５２ａを介して、ハードディスク装置５４は、インターフェース５４ａを介して、表示・入力装置５６は、インターフェース５６ａを介してそれぞれバス５８に接続されている。
【００４２】
ＣＰＵ４０は、ＲＡＭ４２またはＲＯＭ４４に格納されている制御プログラムに基づいて、後述する各部の動作を制御する。ＲＡＭ４２は主としてＣＰＵ４０の作業領域として機能し、ＲＯＭ４４にはＢＩＯＳ等の制御プログラムその他のＣＰＵ４０が使用するデータが格納されている。
【００４３】
また、通信装置４６は、例えばＵＳＢ（ユニバーサルシリアルバス）ポート、ネットワークポート、非接触型ＩＣカードや赤外線通信等による非接触通信が可能なインターフェースその他の適宜な通信インターフェースにより構成され、ＣＰＵ４０がネットワーク、非接触通信等の適宜な通信手段１０６を介して外部の装置とデータをやり取りするために使用する。
【００４４】
また、画像取得装置４８は、スキャナ等により構成され、紙その他の媒体上の画像を読み取って画像データを出力する装置である。
【００４５】
また、印刷装置５０は、消耗品を使用して画像を形成するプリンタエンジン等を含んで構成され、印刷用データを印刷する。プリンタエンジンとしては、例えば電子写真プロセスによって画像を形成するレーザープリンタエンジンが用いられる。また、インクおよび用紙を使用して画像を形成するインクジェットプリンタエンジンを用いても良い。
【００４６】
また、ファクシミリ装置５２は、通信装置４６、画像取得装置４８等により取得した画像データを、電話回線等を使用して送受信する装置である。
【００４７】
また、ハードディスク装置５４は、後述する処理に必要となる種々のデータを記憶する。なお、ハードディスク装置５４の代わりにＥＥＰＲＯＭ等の不揮発性メモリを使用してもよい。
【００４８】
表示・入力装置５６は、タッチパネル等により構成され、画像処理装置１０２の動作指示用の入力画面を表示し、使用者が動作指示を入力するために使用する。
【００４９】
図５には、実施形態にかかる画像処理装置１０２の機能ブロック図が示される。図５において、画像処理装置１０２は、機能関連情報転送部６０、追加機能受取部６２、追加機能起動部６４、認証部６６、通信部６８及び追加機能削除部７０を含んで構成されている。これらの機能は例えばＣＰＵ４０とＣＰＵ４０の処理動作を制御するプログラムとにより実現される。
【００５０】
機能関連情報転送部６０は、画像処理装置１０２の機能の追加・変更に関する上記機能関連情報を通信部６８を介して携帯通信装置１００に転送する。
【００５１】
追加機能受取部６２は、携帯通信装置１００が転送可と判定した追加機能を当該携帯通信装置１００から受け取る。
【００５２】
追加機能起動部６４は、追加機能受取部６２が取得した追加機能を起動し、追加機能を実行させる。また、追加機能起動部６４は、表示・入力装置５６の表示内容を制御する。この場合、携帯通信装置１００の追加機能転送部３２から転送された表示定義に基づいて、表示・入力装置５６の表示内容を制御する構成としてもよい。ここで、表示定義とは、表示・入力装置５６の表示内容を設定または変更するための情報であり、例えば文字サイズ、色、図形の形状等を定義することができる。
【００５３】
認証部６６は、上記追加機能情報を送信してきた携帯通信装置１００の認証処理を実行する。
【００５４】
通信部６８は、通信装置４６を介して携帯通信装置１００との間で認証情報、機能関連情報、追加機能等のやり取りを行う。これらの情報のやり取りは、例えばインターネットのようなネットワーク、電話回線あるいは非接触型ＩＣカードや赤外線通信等を使用した非接触通信等を介して行うことができる。
【００５５】
追加機能削除部７０は、予め定めた条件に基づいて、実行後の追加機能を削除する。ここで、予め定めた条件としては、例えば認証が切れた（ログオフした）場合、あるいは追加機能の起動後一定の時間が経過した場合等がある。
【００５６】
図６には、実施形態にかかる画像処理システムの動作例のフローが示される。図６において、携帯通信装置１００の認証情報転送部３４が画像処理装置１０２に通信処理部２４を介して認証情報を転送すると（Ｓ１０１）、画像処理装置１０２の認証部６６が携帯通信装置１００の認証処理を実行する（Ｓ１０２）。ここで、上記認証情報としては、使用者名やパスワードとしてもよいし、携帯通信装置１００の識別情報等としてもよい。
【００５７】
Ｓ１０２において、認証が成功しなかった場合には（Ｓ１０３）、認証部６６が通信部６８を介して携帯通信装置１００に認証失敗の通知を行い（Ｓ１０４）、処理を終了する。一方、Ｓ１０２において、認証が成功した場合には（Ｓ１０３）、機能関連情報転送部６０が通信部６８を介して携帯通信装置１００に機能関連情報を転送する（Ｓ１０５）。
【００５８】
携帯通信装置１００では、機能関連情報取得部２６が画像処理装置１０２から転送された機能関連情報を取得する（Ｓ１０６）。追加機能取得部２８は、使用者からの指示に基づいて画像処理装置１０２に追加する追加機能の取得要求情報を生成し、この取得要求情報を上記機能関連情報に含まれるサーバ１０４への接続情報に基づいて通信処理部２４を介してサーバ１０４に転送する（Ｓ１０７）。なお、どの追加機能を要求するかについては、使用者が入力装置１８から入力した指示情報を入力部３６が受け付け、追加機能取得部２８に渡すことによって決定される。
【００５９】
サーバ１０４では、上記取得要求情報に基づいて携帯通信装置１００に対して要求された追加機能を転送する（Ｓ１０８）。
【００６０】
携帯通信装置１００では、追加機能取得部２８がサーバ１０４から転送された追加機能を取得し（Ｓ１０９）、転送可否判定部３０が、当該追加機能の画像処理装置１０２への転送の可否を判定する。転送可と判定した場合には（Ｓ１１０）、追加機能転送部３２が当該追加機能を通信処理部２４を介して画像処理装置１０２に転送する（Ｓ１１１）。この場合、追加機能とともに、表示・入力装置５６の表示内容を設定または変更し、使用者に応じてカスタマイズするための表示定義を転送してもよい。なお、Ｓ１１０で転送不可と判定した場合には、その旨の表示を表示装置２０に表示し（Ｓ１１２）、処理を終了する。
【００６１】
画像処理装置１０２では、追加機能受取部６２が携帯通信装置１００から転送された追加機能を受け取り（Ｓ１１３）、追加機能起動部６４が、上記追加機能を起動して実行する（Ｓ１１４）。このとき、追加機能起動部６４は、表示・入力装置５６の表示内容も制御する。表示・入力装置５６の表示内容は、例えば追加機能に応じた表示、非表示、そのときの表示内容の固定化等とすることができる。また、上記表示定義に基づいて表示内容を制御してもよい。
【００６２】
図７（ａ），（ｂ）には、携帯通信装置１００の表示装置２０及び画像処理装置１０２の表示・入力装置５６の表示内容の例が示される。図７（ａ）は、携帯通信装置１００の表示装置２０に表示された追加機能の模擬動作時の画面である。また、図７（ｂ）は、画像処理装置１０２に転送後に、表示・入力装置５６に表示された追加機能の動作時の画面である。図７（ｂ）の例では、表示・入力装置５６が非表示となっている。
【００６３】
図８（ａ），（ｂ）には、携帯通信装置１００の表示装置２０及び画像処理装置１０２の表示・入力装置５６の表示内容の他の例が示される。図８（ａ）は、携帯通信装置１００の表示装置２０に表示された追加機能の模擬動作時の画面である。また、図８（ｂ）は、画像処理装置１０２に転送後に、表示定義に基づいて表示・入力装置５６に表示された追加機能の動作時の画面である。図８（ｂ）における表示定義の例は、携帯通信装置１００の表示装置２０で「インターネット検索」と表示された機能ボタンを、「ＡＢＣ」の表示に変更するものである。
【００６４】
図６に戻り、画像処理装置１０２上で上記追加機能が実行された後、追加機能削除部７０は、予め定めた条件が満たされたか否かを確認する（Ｓ１１５）。携帯通信装置１００のログオフ、起動後一定時間の経過等の条件が満たされたときに、追加機能削除部７０は、追加機能を画像処理装置１０２から削除する（Ｓ１１６）。
【００６５】
ここで、上述した図６の各ステップを実行するためのプログラムは、記録媒体に格納することも可能であり、また、そのプログラムを通信手段によって提供しても良い。その場合、例えば、上記説明したプログラムについて、「プログラムを記録したコンピュータ読み取り可能な記録媒体」の発明として捉えても良い。
【図面の簡単な説明】
【００６６】
【図１】実施形態にかかる画像処理システムの構成例を示す図である。
【図２】実施形態にかかる携帯通信装置のハードウェア構成の例を示す図である。
【図３】実施形態にかかる携帯通信装置の機能ブロック図である。
【図４】実施形態にかかる画像処理装置のハードウェア構成の例を示す図である。
【図５】実施形態にかかる画像処理装置の機能ブロック図である。
【図６】実施形態にかかる画像処理システムの動作例のフロー図である。
【図７】携帯通信装置の表示装置及び画像処理装置の表示・入力装置の表示内容の例を示す図である。
【図８】携帯通信装置の表示装置及び画像処理装置の表示・入力装置の表示内容の他の例を示す図である。
【符号の説明】
【００６７】
１０、４０  ＣＰＵ、１２、４２  ＲＡＭ、１４  記憶装置、１４ａ、１６ａ、１８ａ、２０ａ、４６ａ、４８ａ、５０ａ、５２ａ、５４ａ、５６ａ  インターフェース、１６、４６  通信装置、１８  入力装置、２０  表示装置、２２、５８  バス、２４  通信処理部、２６  機能関連情報取得部、２８  追加機能取得部、３０  転送可否判定部、３２  追加機能転送部、３４  認証情報転送部、３６  入力部、３８  模擬動作部、４４  ＲＯＭ、４８  画像取得装置、５０  印刷装置、５２  ファクシミリ装置、５４  ハードディスク装置、５６  表示・入力装置、６０  機能関連情報転送部、６２  追加機能受取部、６４  追加機能起動部、６６  認証部、６８  通信部、７０  追加機能削除部、１００  携帯通信装置、１０２  画像処理装置、１０４  サーバ、１０６  通信手段。
【図１】
2010081359.tif 000003
【図２】
2010081359.tif 000004
【図３】
2010081359.tif 000005
【図４】
2010081359.tif 000006
【図５】
2010081359.tif 000007
【図６】
2010081359.tif 000008
【図７】
2010081359.tif 000009
【図８】
2010081359.tif 000010